(57)【特許請求の範囲】
【請求項１】
筒状胴部を有する本体金具と上側取付金具とをゴム弾性体からなる防振基体を介して結合し、防振基体と対向するダイヤフラムを本体金具に取着してこれらが室壁の一部をなす液封入室を形成し、この液封入室を２つの液室に仕切る剛性材よりなる仕切部材を配し、前記２つの液室をオリフィスにより連通した液封入式防振装置において、
前記本体金具の内周に、剛性材よりなる補強部材を有する筒状ゴム部材が嵌着され、前記筒状ゴム部材の一端部が、前記本体金具の一端部において前記仕切部材とともにかしめ締結され、前記筒状ゴム部材の他端部に前記ダイヤフラムが配されており、
前記補強部材は、筒状をなし、前記一端部において外方に延設されたフランジを有して該フランジが前記仕切部材とともにかしめ締結されるとともに、前記他端部において内側に折曲延成されてこの折曲部の内端に前記ダイヤフラムが連続して形成され、
前記仕切部材は、前記筒状ゴム部材の内周に嵌着される有底筒状をなし、その軸方向の一端部に前記補強部材のフランジとともにかしめ締結される外方に折曲延成されたフランジを備えるとともに、軸方向の他端部が前記筒状ゴム部材の前記他端部における前記折曲部近傍の内周面に圧着された
ことを特徴とする液封入式防振装置。
【請求項２】
前記仕切部材は、外周面にオリフィス形成用の凹溝を備えて、該凹溝の上縁部と下縁部とを前記筒状ゴム部材の内周面に圧着されることで、該凹溝の外方に前記オリフィスが形成されたことを特徴とする請求項１に記載の液封入式防振装置。
【請求項３】
前記したかしめ締結が、前記筒状ゴム部材の前記補強部材と前記仕切部材とをかしめた、弾性体を含まない剛性構造であり、
前記液封入室をシールするシール部を、各剛性材間に配したシールゴムにより構成し、前記のかしめ締結によるかしめ部に近接させたことを特徴とする請求項１又は２に記載の液封入式防振装置。
【請求項４】
前記本体金具内に、前記ダイヤフラム、前記仕切部材及び前記２つの液室の全てを収納したことを特徴とする請求項１〜３のいずれかに記載の液封入式防振装置。
【請求項５】
前記本体金具は、段部を介して下側の筒状胴部とそれよりも径大の上側の筒状胴部とを備えてなり、
前記筒状ゴム部材は、その上端部が前記本体金具の上端部において前記仕切部材とともにかしめ締結され、下端部に前記ダイヤフラムが配されるとともに、前記補強部材の前記折曲部において前記本体金具の前記段部に圧接されるよう構成されており、前記折曲部の下面側に前記段部に圧接されるシールゴムが膨出形成されたことを特徴とする請求項１〜３のいずれかに記載の液封入式防振装置。
【発明の詳細な説明】
【０００１】
【発明の属する技術分野】
本発明は、主として自動車のエンジン等のパワーユニットその他の振動発生体を防振的に支承するのに使用される液封入式防振装置に関する。
【０００２】
【従来の技術】
自動車エンジン等の振動発生体を、その振動を車体へ伝達させないように支承するマウント等の液体封入式の防振装置には、例えば、図４に示す液封入式防振マウント(100) がある。
【０００３】
この液封入式防振マウント(100) は、振動発生体側と支持側にそれぞれ締結される上側取付金具(101) と本体金具(102) とを、ゴム弾性体よりなる厚肉の防振基体(103) を介して結合してなり、この防振基体(103) と、その下部に加硫接着により取着された筒状の上部金具(104) 及び該上部金具(104) の開口下端に結合されたハット状の下部金具(105) よりなる本体金具(102) との間に内部空間が形成されている。この内部空間は、周縁部にフランジ(106) が延設され外周にオリフィス形成用の凹溝(107) が設けられた剛性材よりなる仕切部材(108) によって、軸方向の２つの液室(109) (110) に区切られており、それら両室(109) (110) は、防振基体(103) に連なって上部金具(104) 内周面に薄膜状に加硫接着されたシールゴム(111) と上記凹溝(107) との間に形成されたオリフィスを介して連通されている。また、下部金具(105) の内面には、周縁に補強用のリング状金具(112) が埋設された薄肉ゴムのダイヤフラム(113) が、当該下部金具(105) の開口部に位置するように取着けられて、その上方に液体の封入された上記２つの液室(109) (110) が形成されている。
【０００４】
上部金具(104) と下部金具(105) との結合部は、図５に示すように、それぞれの外周端部が径方向に延設され、この延設された両周縁部の間に仕切部材(108) のフランジ(106) とダイヤフラム(113) の周縁とが挾まれ、さらに、これら結合部の両周縁部を相対する方向に折り曲げて包み込む状態にかしめ締結している。ここで、仕切部材(108) のフランジ(106) の上下両面には、それぞれ上部金具(104) 内面及びリング状金具(112) 上面に加硫接着されたシールゴム(111) (114) が、下部金具(105) の開口部内面には、リング状金具(112) に加硫接着されたシールゴム(114) がそれぞれ当接し、かつ、それらシールゴム(111) (114) が前記かしめ締結によって所定の寸法まで変形して、液室(109) (110) 内の液体のシール性能を発揮させている。
【０００５】
この防振マウント(100) では、オリフィスによる両液室(109) (110) の液流動効果や防振基体(103) の防振効果によって、低速時に発生する振幅の大きい低周波振動に対する振動減衰機能と、高速時に発生する高周波振動に対する振動絶縁機能とを果すように構成している。
【０００６】
【発明が解決しようとする課題】
しかしながら、上述した防振マウント(100) においては、ダイヤフラム(113) 、特にその本体金具(102) への取付け端部が、液室(109) (110) 内の液体をシールするシール部分の近傍に位置しているため、上側取付金具(101) 及び本体金具(102) の相対的な大変位による、封入液の液圧急上昇又は急降下、あるいはその繰り返しによって、前記シール性能が劣化し、封入液内に空気が混入することがある。
【０００７】
特に、上述したような、仕切部材(108) とリング状部材(112) とをシールゴム(111) (114) を介してかしめ締結したものでは、前記大変位によりシール部分がより劣化しやすい。
【０００８】
そこで、本発明は上記問題点に鑑み、大変位による封入液の液圧変化に耐え、シール性能の劣化の起りにくい液封入式防振装置を提供することを目的とする。
【０００９】
【課題を解決するための手段】
本発明の請求項１の液封入式防振装置は、筒状胴部を有する本体金具と上側取付金具とをゴム弾性体からなる防振基体を介して結合し、防振基体と対向するダイヤフラムを本体金具に取着してこれらが室壁の一部をなす液封入室を形成し、この液封入室を２つの液室に仕切る剛性材よりなる仕切部材を配し、前記２つの液室をオリフィスにより連通した液封入式防振装置において、前記本体金具の内周に、剛性材よりなる補強部材を有する筒状ゴム部材が嵌着され、前記筒状ゴム部材の一端部が、前記本体金具の一端部において前記仕切部材とともにかしめ締結され、前記筒状ゴム部材の他端部に前記ダイヤフラムが配されており、前記補強部材は、筒状をなし、前記一端部において外方に延設されたフランジを有して該フランジが前記仕切部材とともにかしめ締結されるとともに、前記他端部において内側に折曲延成されてこの折曲部の内端に前記ダイヤフラムが連続して形成され、前記仕切部材は、前記筒状ゴム部材の内周に嵌着される有底筒状をなし、その軸方向の一端部に前記補強部材のフランジとともにかしめ締結される外方に折曲延成されたフランジを備えるとともに、軸方向の他端部が前記筒状ゴム部材の前記他端部における前記折曲部近傍の内周面に圧着されたものである。
【００１０】
請求項２の液封入式防振装置は、請求項１において、前記仕切部材は、外周面にオリフィス形成用の凹溝を備えて、該凹溝の上縁部と下縁部とを前記筒状ゴム部材の内周面に圧着されることで、該凹溝の外方に前記オリフィスが形成されたものである。
【００１１】
請求項３の液封入式防振装置は、請求項１又は２において、前記したかしめ締結が、前記筒状ゴム部材の前記補強部材と前記仕切部材とをかしめた、弾性体を含まない剛性構造であり、前記液封入室をシールするシール部を、各剛性材間に配したシールゴムにより構成し、前記のかしめ締結によるかしめ部に近接させたものである。
【００１２】
請求項４の液封入式防振装置は、請求項１〜３のいずれかにおいて、前記本体金具内に、前記ダイヤフラム、前記仕切部材及び前記２つの液室の全てを収納したものである。
【００１３】
請求項５の液封入式防振装置は、請求項１〜３のいずれかにおいて、前記本体金具は、段部を介して下側の筒状胴部とそれよりも径大の上側の筒状胴部とを備えてなり、前記筒状ゴム部材は、その上端部が前記本体金具の上端部において前記仕切部材とともにかしめ締結され、下端部に前記ダイヤフラムが配されるとともに、前記補強部材の前記折曲部において前記本体金具の前記段部に圧接されるよう構成されており、前記折曲部の下面側に前記段部に圧接されるシールゴムが膨出形成されたものである。
【００１４】
【作用】
請求項１の液封入式防振装置では、例えば、本体金具の上端部に、筒状ゴム部材の上端部と仕切部材とがかしめ締結されて、この本体金具の上端部に、ダイヤフラムと仕切部材との固着効果を担うかしめ部と、液封入室をシールするシール部とが配される。一方、ダイヤフラムの本体金具への取付け部は、本体金具内周に嵌着された筒状ゴム部材の下端部にダイヤフラムが配されているため、前記かしめ部及びシール部とは引離されている。そのため、大変位によって液圧変化が生じてダイヤフラムが膨出変形しても、その力が、本体金具に嵌合した筒状ゴム部材によって遮断され、シール部まで伝達しない。これにより、シール部の動きが規制されて、シール性能が劣化しにくい。しかも、仕切部材が筒状ゴム部材の内周に嵌着されているので、仕切部材が筒状ゴム部材を本体金具内周面に押し当てて、筒状ゴム部材と本体金具との密着性が優れる。
【００１５】
請求項２の液封入式防振装置では、仕切部材を筒状ゴム部材の内周面に圧着されることで、その外周にオリフィスを形成することができる。
【００１６】
請求項３の液封入式防振装置では、かしめ部が剛性材のみをかしめた剛性構造であり、その近傍に、各剛性材間にシールゴムを配することによりシール部を形成しているので、かしめ部における各部材の固着効果が高く、また、かしめ締結によるシールゴムの押圧変形によりシール性能も高い。
【００１７】
請求項４の液封入式防振装置では、本体金具内に、ダイヤフラム、仕切部材及び２つの液室の全てを収納しているので、シール部の動きがより規制される。
【００１８】
請求項５の液封入式防振装置では、筒状ゴム部材と本体金具との間のシール性が、筒状ゴム部材の下端部に配されたシールゴムの、上記かしめ締結による段部への押圧変形により、さらに向上される。
なお、本発明の液封入式防振装置においては、前記上側取付金具をその全周にわたって外方に延成するとともに、この延成した延成部に当接可能な当接部を前記本体金具と一体に動作するように設けて、振動に伴う防振基体の大変位時に、前記延成部が前記当接部に当接して前記防振基体の一定以上の変位を防止するようにしてもよく、これにより、大変位による液圧変化を低減させて、シール性能の経時劣化を低減させることができる。
【００１９】
【発明の実施の形態】
以下、本発明の実施の形態を図面を参照して説明する。
【００２０】
図１は、本発明に係る液封入式防振装置の一例の縦断面図を示している。
【００２１】
図において、（１）は筒状胴部を有する有底の本体金具で、底部に取付用ボルト（11）が突設されている。（２）は圧入あるいは溶接により固着された取付用ボルト（21）を有する上側取付金具であり、両金具のいずれか一方、主として上側取付金具（２）が自動車エンジン等の振動発生体側に締結され、また本体金具（１）が車体のシャーシー等の支持側に締結されて使用される。
【００２２】
本体金具（１）は、底部と当該底部から上方に延設された筒状胴部とよりなる取付部（12）と、その上端より段部（13）を介して上方に延設されたやや径大の筒状胴部よりなる本体部（14）とよりなり、両者が一体に成形されている。段部（13）は、底部よりに位置しており、即ち、本体部（14）の方が、取付部（12）よりも軸方向寸法が長くなっている。そして、本体部（14）の上端には、その全周にわたって外方にフランジ（15）が延設されている。
【００２３】
上側取付金具（２）は、図に示すように略コマ形状をなし、その軸方向中央部にて全周にわたって外方に突出するストッパー部（22）を有する。取付用ボルト（21）は、上側取付金具（２）の上方からその軸方向と所定の鋭角をなして挿入されている。
【００２４】
（３）は、本体金具（１）と上側取付金具（２）に介在されるゴム弾性体よりなる厚肉の防振基体であり、図に示すように略傘形状をなしており、その上部には上側取付金具（２）が埋設され、下端部には本体金具（１）上端の開口部に配されたリング状の補助金具（４）が接着固定されている。これら金具（２）（４）は、防振基体（３）の加硫成形と同時に埋設又は接着固定されてなる。
【００２５】
補助金具（４）は、本体金具（１）のフランジ（15）と同一外径を有する外周部とこの外周部の内端から下方に屈曲して傾斜した内周部とよりなり、この屈曲した部分の下面側には、図２に示すように、断面略半円形状のシールゴム（41）が配されている。
【００２６】
（５）は、筒状胴部を有する結合金具であり、本体金具（１）上端のフランジ（15）にかしめ手段により結合されて、本体金具（１）とともに防振基体（３）を収納するケースを構成する。この結合金具（５）の上端部には、内側に折曲延成されたストッパー用の内フランジ（51）が設けられており、振動に伴なう本体金具（１）の上方への大変位時に、上側取付金具（２）のストッパー部（22）が、この内フランジ（51）に全周にわたって当接するようになっている。そして、内フランジ（51）の内側を上側取付金具（２）の上端部が貫通している。なお、ストッパー部（22）は、防振基体（３）から連なったゴム（31）に包被されており、このゴム（31）が前記内フランジ（51）との当接時の衝撃を緩和している。
【００２７】
（６）は、本体金具（１）の内周面に配された円形ゴム膜よりなるダイヤフラムであり、本体金具（１）の段部（13）とほぼ同一平面上にて、防振基体（３）と対向するように取着されている。このダイヤフラム（６）と本体金具（１）の本体部（14）と防振基体（３）とに囲まれた空間が、液体が充満された液封入室（７）として形成されている。そして、ダイヤフラム（６）下方には、本体金具（１）の取付部（12）との間に空気室（71）が形成されており、当該ダイヤフラム（６）が膨出変形可能になっている。
【００２８】
ダイヤフラム（６）は、内部に筒状の補強金具（61）を埋設して補強した筒状ゴム部材（62）と一体に形成され、該筒状ゴム部材（62）が本体部（14）内周面に嵌着されている。補強金具（61）は、上端が外方に延設されたフランジ（63）を有し、このフランジ（63）が、本体金具（１）のフランジ（15）と同一外径を有し、該フランジ（15）上に配されている。また、補強金具（61）の下端は内側に折曲延成されており、この折曲部の内端にダイヤフラム（６）が連続して形成されており、更に、該折曲部が筒状ゴム部材（62）のゴムを介して段部（13）に圧接されている。
【００２９】
補強金具（61) のフランジ（63）は、図２に示すように、筒状ゴム部材（62）のゴム部分から露出している。また、補強金具（61）上端の折曲部には、その内面側及び外面側に、筒状ゴム部材（62）の上端部が膨出してなるシールゴム（64）が形成されている。さらに、補強金具（61）下端の折曲部の下面側にも、段部（13）に圧接されるシールゴム（65）が膨出形成されている。
【００３０】
（８）は、液封入室（７）を軸方向の上下２つの液室（7a）（7b）に仕切る剛性材よりなる仕切部材であり、ダイヤフラム（６）と一体の筒状ゴム部材（62）の内周に嵌着されている。この仕切部材（８）は、扁平な有底筒状に形成されており、その上端部には、外方に折曲延成され本体金具（１）のフランジ（15）と同一外径を有するフランジ（81）が形成されており、このフランジ（81）が、補強金具（61）のフランジ（63）上に配されている。また、仕切部材（８）の外周面には、オリフィス形成用の凹溝（82）が折曲して形成されており、その下端部が内方かつ上方に折返されて中央の板状部に至る。そして、この折返された下端部と凹溝（82）の上縁部とが筒状ゴム部材（62）の内周面に圧着されて、前記凹溝（82）の外方に上下の液室（7a）（7b）を連通するオリフィス（83）が螺旋状に形成されている。なお、この仕切部材（８）の下端部は、補強金具（61）下端の折曲部付近にて筒状ゴム部材（62）と当接している。
【００３１】
図２に示すように、本体金具（１）と結合金具（５）とを結合する際には、本体金具（１）のフランジ（15）上に、補強金具（61）と仕切部材（８）の各フランジ（63）（81）、更に補助金具（４）の外周部を順次重合して、それらの外端を結合金具（５）の下端部で包み込むようにかしめ締結する。これにより、図３に示すように、かしめ締結されたかしめ部（16）では、剛性材のみがかしめつけられて保形性を維持することができる。また、シールゴム（41）（64）が押圧変形されてかしめ部（16）の内方かつ近傍にシール部（17）が形成され、これにより各金具間がシールされる。
【００３２】
（23）は、上側取付金具（２）の上面にネジ締結等の手段により固着されたストッパー部材であって、中央に取付用ボルト（21）が貫通する孔を有する円板状の金属板（24）の外周端部に、外周部が軸方向下方に向ってスカート状に延成したゴムカバー（25）が付設されており、振動に伴なう上側取付金具（２）の下方への大変位時に、金属板（24）の外周端部分が結合金具（５）の内フランジ（51）の上面に対しゴムカバー（25）を介して当接し、当接時の衝撃を緩和するように設けられている。
【００３３】
上記構成の液封入式防振装置の使用状態においては、エンジン等の振動に伴う防振基体（３）の変形及び２つの液室（7a）（7b）の容積変化により、内部の液体がオリフィス（83）を通じて流動し、低周波振動は防振基体（３）とオリフィス（83）の流動抵抗及び液体の粘性により吸収されて減衰し、また高周波振動は防振基体（５）及び液体自体の共振作用により吸収されて振動を低減する。
【００３４】
この時、上側取付金具（２）の振動の変位量が大きくなったとき、例えば上方への大変位時には、上側取付金具（２）のストッパー部（22）が結合金具（５）の内フランジ（51）に当接してそれ以上の変位が規制される。また、下方への大変位時には、上側取付金具（２）の上面に設けたストッパー部材（23）が内フランジ（51）に当接してそれ以上の変位を抑止する。
【００３５】
本防振装置であれば、ダイヤフラム（６）と仕切部材（８）とを、取付部（12）と本体部（14）とが一体成形された本体金具（１）の上端にかしめ締結するとともに、その液室（7a）（7b）をシールするシール部（17）をそのかしめ部（16）に近接させ、かつ、その本体金具（１）内に、ダイヤフラム（６）、仕切部材（８）及び２つの液室（7a）（7b）を全て収納しているので、シール部（17）は、大変位による液圧変化に対しても動くことなく、よって、シール性不足になりにくく、シール性能の経時劣化を最小に止めることができる。
【００３６】
これは、前記液圧変化に際して負荷がかかりやすいダイヤフラム（６）の本体金具（１）への取付け部が、かしめ部（16）及びシール部（17）から引離され、さらに、このかしめ部（16）から前記取付け部までは、本体金具（１）の内周面に嵌着された筒状ゴム部材（62）によってシールされているためである。これにより、前記液圧変化によってダイヤフラム（６）が変形し、その変形による力が前記取付け部にかかっても、その力は、筒状ゴム部材（62）と本体金具（１）との嵌合によって遮断され、シール部（17）まで伝わらない。
【００３７】
また、筒状ゴム部材（62）の内周には仕切部材（８）が嵌着されて、筒状ゴム部材（62）の本体金具（１）に対する密着性が向上されている。この筒状ゴム部材（62）と本体金具（１）との間のシール性は、筒状ゴム部材（62）の下端部に配されたシールゴム（65）の、上記かしめ締結による段部（13）への押圧変形により、さらに向上されている。
【００３８】
また、かしめ部（16）が剛性材のみによりかしめつけられており、かつ、その近傍に配されたシール部（17）が、これら剛性材間をシールゴム（41）（64）を押圧変形させることにより形成されているので、かしめ部（16）の固着効果が高く、またシール性能も高い。
【００３９】
さらに、ストッパー部（21）が上側取付金具（３）の全周に設けられているため、防振基体（５）が少々横方向に変形したり歪んだりしても、内フランジ（51）に広い範囲で当接できるため、ストッパー抜けや変形等を確実に防止できる。
【００４０】
【発明の効果】
本発明の液封入式防振装置であると、防振基体の大変位によって液圧変化が生じても、液封入室をシールするシール部の動きが規制されるので、シール性能が劣化しにくい。すなわち、大変位による封入液の液圧変化に耐え、シール性能の経時劣化を最小に止めることができる。
【図面の簡単な説明】
【図１】本発明の一実施例の液封入式防振装置の縦断面図である。
【図２】上記実施例においてかしめ部を分解して示した要部分解断面図である。
【図３】上記実施例におけるかしめ部の要部拡大縦断面図である。
【図４】従来の液封入式防振装置の一例を示す縦断面図である。
【図５】従来の液封入式防振装置のかしめ部の要部拡大縦断面図である。
【符号の説明】
（１）……本体金具
（２）……上側取付金具
（３）……防振基体
（６）……ダイヤフラム
（７）……液封入室
（８）……仕切部材
（16）……かしめ部
（17）……シール部
（22）……ストッパー部
（23）……ストッパー部材
（41）（64）……シールゴム
（51）……ストッパー用の内フランジ
（61）……補強金具
（62）……筒状ゴム部材
（83）……オリフィス
【図１】
0003648575.tif 000002
【図２】
0003648575.tif 000003
【図３】
0003648575.tif 000004
【図４】
0003648575.tif 000005
【図５】
0003648575.tif 000006